(57)【要約】【課題】原稿読取部の読取動作を複数の動作モードで互いに独立に制御可能な画像読取装置、画像形成装置、半導体装置を提供することを目的とする。【解決手段】複数の動作モードのうち指定された一つの動作モードで原稿を読み取る画像読取装置であって、一つの動作モードの駆動信号を生成する為の設定値を取得し、その設定値から一つの動作モードに応じた駆動信号を生成する駆動信号生成部１１０と、駆動信号に応じて原稿の読み取りを行う原稿読取部１０３とを有することにより上記課題を解決する。【選択図】図５
2008017045.tif 000002
【特許請求の範囲】
【請求項１】
複数の動作モードのうち指定された一つの動作モードで原稿を読み取る画像読取装置であって、
前記一つの動作モードの駆動信号を生成する為の設定値を取得し、その設定値から前記一つの動作モードに応じた駆動信号を生成する駆動信号生成部と、
前記駆動信号に応じて前記原稿の読み取りを行う原稿読取部と
を有することを特徴とする画像読取装置。
【請求項２】
前記複数の動作モードの設定値を記憶する記憶部を更に有し、
前記駆動信号生成部は、前記記憶部から前記一つの動作モードの設定値を選択して取得することを特徴とする請求項１記載の画像読取装置。
【請求項３】
外部から取得した前記一つの動作モードの設定値を記憶する記憶部を更に有し、
前記駆動信号生成部は、前記記憶部から前記一つの動作モードの設定値を取得することを特徴とする請求項１記載の画像読取装置。
【請求項４】
前記複数の動作モードの設定値は、予め求められた前記駆動信号が前記原稿読取部に入力されるときに最適となる設定値に設定されていることを特徴とする請求項１乃至３何れか一項記載の画像読取装置。
【請求項５】
複数の動作モードのうち指定された一つの動作モードで原稿を読み取る画像読取装置を有する画像形成装置であって、
前記一つの動作モードの駆動信号を生成する為の設定値を取得し、その設定値から前記一つの動作モードに応じた駆動信号を生成する駆動信号生成部と、
前記駆動信号に応じて前記原稿の読み取りを行う原稿読取部と
を有することを特徴とする画像形成装置。
【請求項６】
複数の動作モードに応じた駆動信号を原稿読取部に出力する半導体装置であって、
指定された動作モードの駆動信号を生成する為の設定値を取得し、その設定値から前記一つの動作モードに応じた読取動作で前記原稿読取部を駆動させる駆動信号を生成して、前記原稿読取部に出力する駆動信号生成部を有することを特徴とする半導体装置。
【発明の詳細な説明】
【技術分野】
【０００１】
本発明は、画像読取装置、画像形成装置、半導体装置に係り、特に複数の動作モードのうち指定された一つの動作モードで原稿を読み取る画像読取装置、その画像読取装置を有する画像形成装置、その画像読取装置が有する半導体装置に関する。
【背景技術】
【０００２】
モノクロ／カラー画像読取装置に関する技術としては例えば特許文献１に記載されている内容が知られている。特許文献１には選択された読取モード（モノクロ／カラー）に応じた原稿読取が可能な原稿読取装置について開示されている。
【０００３】
ＣＣＤ（Ｃｈａｒｇｅ  Ｃｏｕｐｌｅｄ  Ｄｅｖｉｃｅ）のみを用いたモノクロ原稿の読み取りの場合にはＣＣＤの特性に合わせてクロックパルスを設定している。また、ＣＣＤとマルチカラー密着センサとを同時に用いたカラー原稿の読み取りの場合には、クロック速度の遅い密着センサの駆動条件に合わせてクロックパルスを設定している。
【０００４】
ＣＣＤとマルチカラー密着センサとを同時に用いたカラー原稿の読み取りの場合、具体的にはモノクロ読み取りの原稿搬送速度を４Ｖ、カラー読み取りの原稿搬送速度をＶと設定し、モノクロ読み取りのクロックパルス周波数を４ｆ、カラー読み取りのクロックパルス周波数をｆと設定している。つまり、特許文献１の原稿読取装置はカラー読み取り時の設定値を基準にモノクロ読み取り時の設定値を決定していた。
【０００５】
一方、特許文献１に記載されている原稿読取装置ように、モノクロ原稿の読み取り時にＣＣＤ、カラー原稿の読み取り時にＣＣＤ及びマルチカラー密着センサを用いる原稿読取技術ではなく、３ラインＣＣＤを用いた原稿読取装置が既に知られている。
【０００６】
３ラインＣＣＤ（ＲＧＢ）を用いた原稿読取装置では、モノクロ原稿の読み取り時にカラー読み取り専用（ＲＧＢ）の内のＧの設定値を使ってモノクロ読み取りの設定値を生成することでモノクロ読み取りを行っていた。
【０００７】
さらに、現在では高速モノクロ読み取りが可能となる４ラインＣＣＤ（ＲＧＢ＋Ｋ）の開発が進められており、カラー読み取り専用（ＲＧＢ）の設定値の他、モノクロ読み取り専用（Ｋ）の設定値が必要になっている。
【０００８】
なお、従来の３ラインＣＣＤでは、モノクロ読み取り時にもカラー読み取り専用（ＲＧＢ）の内のＧの設定値を用いていた為、カラーとモノクロとで原稿読取速度を変更していなかった。仮に原稿読取速度を変更する場合は、シフトパルス（１ライン分の原稿読取速度）の設定値を変更することで行っていた。
【０００９】
また、４ラインＣＣＤでは、カラー読み取り専用（ＲＧＢ）のＣＣＤと異なるモノクロ読み取り専用（Ｋ）のＣＣＤを採用することにより、カラー読み取り専用（ＲＧＢ）とは別にモノクロ読み取り専用（Ｋ）の設定が必要になってきている事情がある。
【００１０】
なお、従来の４ラインＣＣＤでは、カラー読み取り専用（ＲＧＢ）とは異なるモノクロ専用（Ｋ）のＣＣＤを採用し、モノクロ読み取り用の出力機構をカラー読み取り用の出力機構よりも多くすることで、３ラインＣＣＤのようにシフトパルスの設定値を変更することなく、原稿読取速度を変更できるようになった。
【特許文献１】特開平９−３７０３９号公報
【発明の開示】
【発明が解決しようとする課題】
【００１１】
しかし、４ラインＣＣＤの駆動信号入力ピンがモノクロとカラーとで分離されず、制御ピンが１個しかない場合、モノクロ読み取り時の設定値はカラー読み取り時の設定値に依存してしまうという制約があった。つまり、モノクロの読み取り速度をカラーの読み取り速度よりも早くしたい場合でも、従来の４ラインＣＣＤではモノクロ読み取り時の設定値を任意に設定することができなかった。
【００１２】
具体的にカラー読み取り時のＣＣＤの駆動を決定する駆動信号（パルス波）の設定値がｆ０の場合、４ラインＣＣＤの内部構造の制約，つまりモノクロ読み取り速度はカラー読み取り速度の２倍に設定されるという制約があった。
【００１３】
モノクロ読み取り時の最適値がカラー読み取り時の２倍以上であったとしても、モノクロ読み取り時の設定はカラー読み取り速度を規定するｆ０の２倍にしか設定できず、最適な設定値よりも処理能力の低い２ｆ０に設定せざるを得なかった。即ち、モノクロ読み取り時の設定値については、カラー読み取り時の設定値に依存するため、最適値を設定できないという制約があるため、読み取り速度を向上させることができないという問題が生じていた。このように、４ラインＣＣＤではカラーとモノクロとについて、個々に最適なパラメータ（例えば駆動信号のパラメータ設定など）を設定する必要が生じるようになってきている。
【００１４】
４ラインＣＣＤは、２つ以上の駆動信号（パルス波）が入力されると、その２つ以上の駆動信号に従って、原稿の読み取り，電気信号の変換処理を行っている。４ラインＣＣＤから期待通りの出力を得る為には、２つ以上の駆動信号のタイミングをカラー読み取り又はモノクロ読み取り等の動作モード毎の設定値に従って調整する必要があった。
【００１５】
しかし、従来の４ラインＣＣＤでは、モノクロ読み取り時の設定値を任意に設定しておらず、モノクロ読み取り時の設定値がカラー読み取り時の設定値に依存してしまうという制約があった。つまり、４ラインＣＣＤではモノクロ読み取り時の設定値及びカラー読み取り時の設定値の最適値が異なっている場合、それぞれの最適値に合わせる柔軟な設計ができないという問題があった。
【００１６】
本発明は、上記の点に鑑みなされたもので、原稿読取部の読取動作を複数の動作モードで互いに独立に制御可能な画像読取装置、画像形成装置、半導体装置を提供することを目的とする。
【課題を解決するための手段】
【００１７】
上記課題を解決するため、本発明は、複数の動作モードのうち指定された一つの動作モードで原稿を読み取る画像読取装置であって、前記一つの動作モードの駆動信号を生成する為の設定値を取得し、その設定値から前記一つの動作モードに応じた駆動信号を生成する駆動信号生成部と、前記駆動信号に応じて前記原稿の読み取りを行う原稿読取部とを有することを特徴とする。
【００１８】
また、前記複数の動作モードの設定値を記憶する記憶部を更に有し、前記駆動信号生成部は、前記記憶部から前記一つの動作モードの設定値を選択して取得することを特徴としてもよい。
【００１９】
また、外部から取得した前記一つの動作モードの設定値を記憶する記憶部を更に有し、前記駆動信号生成部は、前記記憶部から前記一つの動作モードの設定値を取得することを特徴としてもよい。
【００２０】
また、前記複数の動作モードの設定値は、予め求められた前記駆動信号が前記原稿読取部に入力されるときに最適となる設定値に設定されていることを特徴としてもよい。
【００２１】
また、上記課題を解決するため、本発明は、複数の動作モードのうち指定された一つの動作モードで原稿を読み取る画像読取装置を有する画像形成装置であって、前記一つの動作モードの駆動信号を生成する為の設定値を取得し、その設定値から前記一つの動作モードに応じた駆動信号を生成する駆動信号生成部と、前記駆動信号に応じて前記原稿の読み取りを行う原稿読取部とを有することを特徴とする。
【００２２】
また、上記課題を解決するため、本発明は、複数の動作モードに応じた駆動信号を原稿読取部に出力する半導体装置であって、指定された動作モードの駆動信号を生成する為の設定値を取得し、その設定値から前記一つの動作モードに応じた読取動作で前記原稿読取部を駆動させる駆動信号を生成して、前記原稿読取部に出力する駆動信号生成部を有することを特徴とする。
【００２３】
本発明によれば、複数の動作モードのうち指定された一つの動作モードの設定値を取得し、その設定値から動作モードに応じた駆動信号を生成する駆動信号生成部と、駆動信号に応じて原稿の読み取りを行う原稿読取部とを有することにより、動作モード毎に最適な設定をすることができ、原稿読取部の読取動作を複数の動作モードで互いに独立に制御可能である。
【００２４】
なお、本発明の構成要素、表現または構成要素の任意の組合せを、方法、装置、システム、コンピュータプログラム、記録媒体、データ構造などに適用したものも本発明の態様として有効である。
【発明の効果】
【００２５】
本発明によれば、原稿読取部の読取動作を複数の動作モードで互いに独立に制御可能な画像読取装置、画像形成装置、半導体装置を提供可能である。
【発明を実施するための最良の形態】
【００２６】
次に、本発明を実施するための最良の形態を、以下の実施例に基づき図面を参照しつつ説明していく。
【００２７】
図１は、本発明の画像形成装置の一例の構成図である。画像形成装置の一例としての複写機１は、画像読取装置２，給紙トレイ３，手差しトレイ４，紙転写部５，搬送用ベルト６，本体排紙部７，排紙トレイ８，定着装置９，ヒータ１０，加熱ローラ（定着部材）１１，加圧ローラ（定着部材）１２，画像作像部１３を有する。
【００２８】
画像読取装置２は、コンタクトガラス上の原稿から画像データを読み取る。給紙トレイ３及び手差しトレイ４は転写紙Ｐを給紙する。転写紙Ｐは画像作像部１３に当接する紙転写部５の位置まで搬送される。
【００２９】
画像読取装置２で原稿から読み取られた画像データは、図示しない画像処理装置で所定の画像処理が施された後、画像作像部でトナー像となり、転写紙Ｐに転写される。この転写紙Ｐは、搬送用ベルト６で定着装置９に搬送される。
【００３０】
転写紙Ｐは、ヒータ１０，加熱ローラ１１，加圧ローラ１２を有する定着装置１２１により、加熱ローラ１１と加圧ローラ１２とのニップ部を通過する際に、加熱ローラ１１と加圧ローラ１２とによる加熱及び加圧でトナー像が定着され、本体排紙部７により排紙トレイ８に排出される。
【００３１】
図２は本発明の画像読取装置の一例の構成図である。画像読取装置２は、原稿台（ガラス）２２と、照明光源（ランプ）２３と、ミラー２４，２６，２７と、第１走行体（第１キャリッジ）２５と、第２走行体（第２キャリッジ）２８と、イメージセンサ（光電変換素子、ＣＣＤ）２９と、レンズ３０と、シェーディング板（白基準板）３１と、イメージセンサ基板３２と、画像データ出力３３と、接続線３４とを有する。
【００３２】
原稿台２２には原稿２１が載置されている。第１走行体２５は原稿台２２に沿って走行可能である。第１走行体２５は照明光源２３及びミラー２４を有する。第２走行体２８は原稿台２２に沿って走行可能である。第２走行体２８はミラー２６，２７を有する。
【００３３】
イメージセンサ２９及びレンズ３０は一次元配列されている。イメージセンサ２９はイメージセンサ基板３２に取り付けられている。イメージセンサ２９が原稿２１から読み取った画像データは接続線３４を介して画像データ出力３３に出力される。なお、第１走行体２５及び第２走行体２８は図示しないステッピングモータにより駆動される。シェーディング板３１はシェーディング補正用の白基準部材である。
【００３４】
このような画像読取装置２において、原稿２１からの画像データの読み取りは、照明光源２３を点灯させた状態で、ステッピングモータによって第１走行体２５及び第２走行体２８を原稿台２２に沿って往復動させることにより、原稿２１を露光走査する。シェーディング板３１の読み取りに際しては、ステッピングモータによって第１走行体２５及び第２走行体２８をシェーディング板３１の露光が可能な位置に移動させた状態で照明光源２３を点灯させることによりシェーディング板３１を露光走査する。
【００３５】
露光走査による原稿２１からの反射光は、ミラー２４，２６，２７と、レンズ３０とによりイメージセンサ２９に受光される。このように、イメージセンサ２９は原稿２１からの反射光を受光することによって、原稿２１の画像データを光学的に読み取る。
【００３６】
次に、イメージセンサ２９の一例としての４ラインＣＣＤの内部構造を図３を参照しつつ説明する。図３は４ラインＣＣＤの内部構造を示すブロック図である。４ラインＣＣＤは、モノクロ（Ｋ）用ラインセンサ４１，青色（Ｂ）用ラインセンサ４２，緑色（Ｇ）用ラインセンサ４３，赤色（Ｒ）用ラインセンサ４４，ＣＣＤアナログレジスタ４５〜４９及び出力部５０〜５４を有する。
【００３７】
モノクロ用ラインセンサ４１は原稿２１からのモノクロの反射光量を電気信号に変換する。青色用ラインセンサ４２は原稿２１からの青色の反射光量を電気信号に変換する。緑色用ラインセンサ４３は原稿２１からの緑色の反射光量を電気信号に変換する。赤色用ラインセンサ４４は原稿２１からの赤色の反射光量を電気信号に変換する。
【００３８】
ＣＣＤアナログシフトレジスタ４５は、モノクロ用ラインセンサ４１で光電変換・蓄積した信号電荷のうち偶数画素のみを転送するレジスタである。ＣＣＤアナログシフトレジスタ４６は、モノクロ用ラインセンサ４１で光電変換・蓄積した信号電荷のうち奇数画素のみを転送するレジスタである。
【００３９】
ＣＣＤアナログシフトレジスタ４７は、青色用ラインセンサ４２で光電変換・蓄積した信号電荷を転送するレジスタである。ＣＣＤアナログシフトレジスタ４８は、緑色用ラインセンサ４３で光電変換・蓄積した信号電荷を転送するレジスタである。ＣＣＤアナログシフトレジスタ４９は、赤色用ラインセンサ４４で光電変換・蓄積した信号電荷を転送するレジスタである。出力部５０〜５４は、ＣＣＤアナログシフトレジスタ４５〜４９から転送されてきた信号電荷を電圧に変換する。
【００４０】
モノクロ用ラインセンサ４１，青色用ラインセンサ４２，緑色用ラインセンサ４３，赤色用ラインセンサ４４は、光電変換・蓄積した信号電荷を、シフトパルス毎に１ラインずつＣＣＤアナログシフトレジスタ４５〜４９に転送する。また、ＣＣＤアナログシフトレジスタ４５〜４９はモノクロ用ラインセンサ４１，青色用ラインセンサ４２，緑色用ラインセンサ４３，赤色用ラインセンサ４４から転送されてきた信号電荷を、クロックパルス毎に１画素ずつ出力部５０〜５４に転送する。
【００４１】
モノクロ読み取り動作時、モノクロ用ラインセンサ４１は原稿２１からのモノクロの反射光量を電気信号に変換し、そのうち偶数画素分をＣＣＤアナログシフトレジスタ４５に１ライン単位でシフトし、偶数画素分をＣＣＤアナログシフトレジスタ４６に１ライン単位でシフトする。ＣＣＤアナログシフトレジスタ４５，４６は、モノクロ用ラインセンサ４１から１ライン単位でシフトされた信号電荷を、１画素単位で出力部５０，５１に順次転送・出力する。
【００４２】
また、カラー読み取り時、青色用ラインセンサ４２，緑色用ラインセンサ４３，赤色用ラインセンサ４４は原稿２１からの青色，緑色，赤色の反射光量を電気信号に変換し、ＣＣＤアナログシフトレジスタ４７〜４９に１ライン単位でシフトする。ＣＣＤアナログシフトレジスタ４７〜４９は、青色用ラインセンサ４２，緑色用ラインセンサ４３及び赤色用ラインセンサ４４から１ライン単位でシフトされた信号電荷を、１画素単位で出力部５２〜５４に順次転送・出力する。
【００４３】
図４は本発明の画像読取装置を示す機能ブロック図である。画像読取装置２は、読み取りモード受付部１００，ＣＰＵ１０１，読取ＡＳＩＣ１０２，イメージセンサ１０３，ＡＦＥ１０４を有する。
【００４４】
読取モード受付部１００は、ユーザによる操作パネルからの指示、又はネットワーク接続されたクライアントからユーザによる指示を受け付ける。例えばユーザは読取モードの一例としてカラー読み取り又はモノクロ読み取り等の動作モードを操作パネル等から指示できる。
【００４５】
ＣＰＵ１０１は読取モード受付部１００からユーザの指示を受け付ける。ＣＰＵ１０１はユーザの指示を認識し、ユーザの指示した動作モードを判定して、その動作モードを読取ＡＳＩＣ１０２に指示する。
【００４６】
読取ＡＳＩＣ（Ａｐｐｌｉｃａｔｉｏｎ  Ｓｐｅｃｉｆｉｃ  ＩＣ）１０２は、ユーザの指示した動作モードに従って、後述するようにイメージセンサ１０３及びＡＦＥ１０４を駆動する。読取ＡＳＩＣ１０２は、特定用途向け集積回路であり、カスタムＩＣ，カスタムチップ等と呼ばれることもある。
【００４７】
読取ＡＳＩＣ１０２は、ユーザの指示した動作モードに従ってイメージセンサ１０３及びＡＦＥ１０４の読取動作を変更する為、動作モードの設定値を少なくとも１つのレジスタに格納している。
【００４８】
イメージセンサ（ＣＣＤ）１０３は一次元に配列されたイメージセンサを用いて、読取ラインを一定速度で移動させることにより、平面の画像を読み取る。なお、本実施例におけるイメージセンサ１０３は種類を特定するものではなく、配列方法や読取方法について制約を受けるものではない。
【００４９】
ＡＦＥ（Ａｎａｌｏｇ  Ｆｒｏｎｔ−Ｅｎｄ）１０４は、読取ＡＳＩＣ１０２によって駆動され、イメージセンサ１０３から出力されたアナログデータをデジタルデータに変換する。なお、読取ＡＳＩＣ１０２が駆動する対象は、イメージセンサ１０３及びＡＦＥ１０４に限らず、読取動作に関連するデバイス全てに適用され得る。
【００５０】
次に、図４の機能ブロック図のうち、読取ＡＳＩＣ１０２の詳細について図５を参照しつつ説明する。図５は読取ＡＳＩＣの詳細を説明する為の機能ブロック図である。図５の機能ブロック図は、図４の機能ブロック図に含まれているＣＰＵ１０１，読取ＡＳＩＣ１０２，イメージセンサ１０３を表している。
【００５１】
読取ＡＳＩＣ１０２は、パルス波生成部１１０，モノクロ読取用設定値格納レジスタ１１１，カラー読取用設定値格納レジスタ１１２，１ライン周期値格納レジスタ１１３を有する。
【００５２】
モノクロ読取用設定値格納レジスタ１１１は、モノクロ読み取り時の設定値を格納している。カラー読取用設定値格納レジスタ１１２は、カラー読み取り時の設定値を格納している。また、１ライン周期値格納レジスタ１１３は１ライン周期値を格納している。
【００５３】
パルス波生成部１１０は、モノクロ読取用設定値格納レジスタ１１１又はカラー読取用設定値格納レジスタ１１２に格納されているモノクロ読取用設定値又はカラー読取用設定値に基づき、イメージセンサ１０３の駆動信号（パルス波）を生成する。また、パルス波生成部１１０は１ライン周期値格納レジスタ１１３に格納されている１ライン周期値に基づき、後述する１ライン同期信号を生成する。イメージセンサ１０３は、パルス波生成部１１０により生成される駆動信号に従って、原稿２１の読み取り，電気信号の変換処理等を行っている。
【００５４】
パルス波生成部１１０により生成されるイメージセンサ１０３の駆動信号には、リセット（ＲＳ），クランプ（ＣＰ），クロック（ＰＨ），シフト（ＳＨ），スイッチ（ＳＷ）がある。リセットは、イメージセンサ１０３のシフトレジスタ内の電荷をキャンセルするタイミングを提供する。クランプは、画素単位またはライン単位で出力レベルを安定させるタイミングを提供する。クロックは、画像データの転送レートを決定する。シフトは、ラインセンサの電荷をシフトレジスタにシフトするタイミングを提供する。また、スイッチはイメージセンサ１０３の出力をモノクロ読み取り時とカラー読み取り時とで切り替えるタイミングを提供する。
【００５５】
なお、ＡＦＥ１０４の駆動信号には、クロック，リファレンスサンプリングタイミングおよび信号サンプリングタイミングがある。クロックは、ＡＦＥ１０４より順次読み出されるアナログデータと同期している。リファレンスサンプリングタイミングは、基準レベルをサンプリングするタイミングを提供する。信号サンプリングタイミングは、出力信号である画素データをサンプリングするタイミングを提供する。
【００５６】
なお、図５の読取ＡＳＩＣ１０２は、動作モードの一例であるモノクロ読み取り及びカラー読み取りの設定値を格納するモノクロ読取用設定値格納レジスタ１１１及びカラー読取用設定値格納レジスタ１１２を有する構成である。つまり、読取ＡＳＩＣ１０２は動作モードの数だけレジスタを有する構成にすることができる。
【００５７】
なお、図５の読取ＡＳＩＣ１０２の構成以外では例えば１つの作業用領域を有し、動作モードを判定したあとで、その動作モードの設定値を読取ＡＳＩＣ１０２の外から取得して作業用領域に格納するようにしてもよい。
【００５８】
モノクロ読取用設定値格納レジスタ１１１が格納しているモノクロ読み取り時の設定値はモノクロ読み取り時にイメージセンサ１０３から期待通りの出力を得るため、駆動信号のタイミング等を調整するものである。また、カラー読取用設定値格納レジスタ１１２が格納しているカラー読み取り時の設定値はカラー読み取り時にイメージセンサ１０３から期待通りの出力を得るため、駆動信号のタイミング等を調整するものである。
【００５９】
なお、モノクロ読取用設定値格納レジスタ１１１又はカラー読取用設定値格納レジスタ１１２に格納されているモノクロ読取用設定値又はカラー読取用設定値はパルス波生成部１１０で生成された駆動信号がイメージセンサ１０３に入力されるときに最適となるように設定されている。
【００６０】
次に、読取ＡＳＩＣ１０２の処理手順について図６，図７のフローチャートを参照しつつ説明していく。図６は、従来の読取ＡＳＩＣの処理手順を示した一例のフローチャートである。図７は、本発明による読取ＡＳＩＣの処理手順を示した一例のフローチャートである。
【００６１】
まず、本発明の理解を容易とする為、図６に示した従来の読取ＡＳＩＣの処理手順について説明する。図６のフローチャートは、ユーザによる操作パネルからのスキャン動作開始指示、又はネットワーク接続されたクライアントからのスキャン動作開始指示により処理が開始される。
【００６２】
ステップＳ１０に進み、読取ＡＳＩＣはＣＰＵからユーザの指示した動作モードを表す動作モード判定信号を受信すると、ユーザの指示した動作モードがカラー読み取りであるか否かを判定する。
【００６３】
動作モードがカラー読み取りであると判定すると、読取ＡＳＩＣはステップＳ１２に進み、青色用ラインセンサ，緑色用ラインセンサ及び赤色用ラインセンサを選択する。動作モードがカラー読み取りでないと判定すると、読取ＡＳＩＣはステップＳ１１に進み、モノクロ用ラインセンサを選択する。動作モードの判定は、例えば１ライン周期値と同期して行われる。
【００６４】
ステップＳ１１，Ｓ１２に続いてステップＳ１３に進み、パルス波生成部は読取動作に必要な設定値を読み込む。そして、パルス波生成部は読み込んだ設定値に基づき、駆動信号であるＰＨ，ＲＳ，ＣＰ，ＳＨパルス生成用にアサートタイミング，アサート幅等を設定する。
【００６５】
なお、ここで読み込まれる設定値は動作モードによらず同一である。つまり、従来の読取ＡＳＩＣは、モノクロ読み取り時の設定値及びカラー読み取り時の設定値の最適値が異なっている場合、それぞれの設定値を最適値に合わせることができない。
【００６６】
ステップＳ１４に進み、ステッピングモータが駆動され、イメージセンサはパルス波生成部により生成された駆動信号に従って、原稿２１の読み取り，電気信号の変換処理等を行ったあと、一連の動作を終了する。
【００６７】
続いて、図７に示した本発明の読取ＡＳＩＣの処理手順について説明する。ユーザによる操作パネルからのスキャン動作開始指示、又はネットワーク接続されたクライアントからのスキャン動作開始指示により図７のフローチャートの処理が開始される。
【００６８】
ステップＳ２０に進み、読取ＡＳＩＣ１０２はＣＰＵ１０１からユーザの指示した動作モードを表す動作モード判定信号を受信すると、ユーザの指示した動作モードがカラー読み取りであるか否かを判定する。
【００６９】
動作モードがカラー読み取りであると判定すると、読取ＡＳＩＣ１０２はステップＳ２３に進み、青色用ラインセンサ４２，緑色用ラインセンサ４３及び赤色用ラインセンサ４４を選択する。動作モードがカラー読み取りでないと判定すると、読取ＡＳＩＣ１０２はステップＳ２１に進み、モノクロ用ラインセンサ４１を選択する。動作モードの判定は例えば１ライン周期値と同期して行われる。
【００７０】
ステップＳ２１に続いてステップＳ２２に進み、パルス波生成部１１０は読取動作に必要なモノクロ読み取り時の設定値を、モノクロ読取用設定値格納レジスタ１１１から読み込む。パルス波生成部１１０は、読み込んだモノクロ読み取り時の設定値に基づき、駆動信号であるＰＨ，ＲＳ，ＣＰ，ＳＨパルス生成用にアサートタイミング，アサート幅等を設定する。
【００７１】
一方、ステップＳ２３に続いてステップＳ２４に進み、パルス波生成部１１０は読取動作に必要なカラー読み取り時の設定値を、カラー読取用設定値格納レジスタ１１２から読み込む。パルス波生成部１１０は、読み込んだカラー読み込み時の設定値に基づき、駆動信号であるＰＨ，ＲＳ，ＣＰ，ＳＨパルス生成用にアサートタイミング，アサート幅等を設定する。
【００７２】
本発明による読取ＡＳＩＣ１０２では、ここで読み込まれる設定値が動作モードによって異なっている。本発明による読取ＡＳＩＣ１０２は、モノクロ読み取り時の設定値及びカラー読み取り時の設定値の最適値が異なっていても、それぞれの設定値を最適値に合わせることができる。
【００７３】
ステップＳ２２，Ｓ２４に続いてステップＳ２５に進み、ステッピングモータが駆動され、イメージセンサ１０３はパルス波生成部１１０により生成された動作モードに最適な駆動信号に従って、原稿２１の読み取り，電気信号の変換処理等を行ったあと、一連の動作を終了する。
【００７４】
なお、図７のフローチャートの処理に限ることなく、例えばデフォルトの設定値を設けるようにしてもよい。例えばモノクロ読み取り時の設定値をデフォルトとすれば、ステップＳ２２の処理は省略できる。また、カラー読み取り時の設定値をデフォルトとすればステップＳ２４の処理は省略できる。
【００７５】
図８は動作モードを切り替えるタイミングを示したタイムチャートである。読取ＡＳＩＣ１０２で生成される図８（ａ）の１ライン同期信号に同期して、図８（ｃ）に示す読取モード（動作モード）は切り替わる。その際、図８（ｂ）の動作モード判定信号に示すように１ライン読み取り中に動作モードの切り替えが判定された場合であっても読取モードは図８（ａ）に示す１ライン同期信号に同期して切り替わる。なお、読取モードが切り替わるタイミングは、統一さえすれば、１ライン同期信号のパルス波形の立ち上がり，立ち下がりのどちらでも構わない。
【００７６】
なお、特許請求の範囲に記載されている駆動信号生成部がパルス波生成部１１０に相当し、原稿読取部が画像読取装置２に相当し、記憶部がモノクロ読取用設定値格納レジスタ１１１，カラー読取用設定値格納レジスタ１１２に相当する。
【００７７】
本発明は、具体的に開示された実施例に限定されるものではなく、特許請求の範囲から逸脱することなく、種々の変形や変更が可能である。
【図面の簡単な説明】
【００７８】
【図１】本発明の画像形成装置の一例の構成図である。
【図２】本発明の画像読取装置の一例の構成図である。
【図３】４ラインＣＣＤの内部構造を示すブロック図である。
【図４】本発明の画像読取装置を示す機能ブロック図である。
【図５】読取ＡＳＩＣの詳細を説明する為の機能ブロック図である。
【図６】従来の読取ＡＳＩＣの処理手順を示した一例のフローチャートである。
【図７】本発明による読取ＡＳＩＣの処理手順を示した一例のフローチャートである。
【図８】動作モードを切り替えるタイミングを示したタイムチャートである。
【符号の説明】
【００７９】
１    複写機
２    画像読取装置
３    給紙トレイ
４    手差しトレイ
５    紙転写部
６    搬送用ベルト
７    本体排紙部
８    排紙トレイ
９    定着装置
１０    ヒータ
１１    加熱ローラ（定着部材）
１２    加圧ローラ（定着部材）
１３    画像作像部
２１    原稿
２２    原稿台（ガラス）
２３    照明光源（ランプ）
２４，２６，２７    ミラー
２５    第１走行体（第１キャリッジ）
２８    第２走行体（第２キャリッジ）
２９    イメージセンサ（光電変換素子、ＣＣＤ）
３０    レンズ
３１    シェーディング板（白基準板）
３２    イメージセンサ基板
３３    画像データ出力
３４    接続線
４１    モノクロ（Ｋ）用ラインセンサ
４２    青色（Ｂ）用ラインセンサ
４３    緑色（Ｇ）用ラインセンサ
４４    赤色（Ｒ）用ラインセンサ
４５〜４９    ＣＣＤアナログレジスタ
５０〜５４    出力部
１００    読み取りモード受付部
１０１    ＣＰＵ
１０２    読取ＡＳＩＣ
１０３    イメージセンサ
１０４    ＡＦＥ
１１０    パルス波生成部
１１１    モノクロ読取用設定値格納レジスタ
１１２    カラー読取用設定値格納レジスタ
１１３    １ライン周期値格納レジスタ
【図１】
2008017045.tif 000003
【図２】
2008017045.tif 000004
【図３】
2008017045.tif 000005
【図４】
2008017045.tif 000006
【図５】
2008017045.tif 000007
【図６】
2008017045.tif 000008
【図７】
2008017045.tif 000009
【図８】
2008017045.tif 000010